(57)【要約】【課題】送出部から無臭気体と香気の双方を送出してパルス状の香気を発生することができるとともに、香気の濃度や発生時間幅を精緻に調整することができる発香装置を得る。【解決手段】この発香装置５０は、無臭気体を導入するための２つの導入部１、２と、第１の導入部１と流体連通して香料剤Ｓ１が配置されている香料室１１と、第２の導入部２と流体連通して無臭気体Ａを圧送するための圧送手段２０と、第１の導入部１および香料室１１に無臭気体Ａを流過させることによって生成された第１の香気Ｋ１の流量を調整する流量調整手段１５と、この流量調整手段１５によって流量が調整された第２の香気Ｋ２と圧送手段２０によって圧送された無臭気体Ａの混合量を調整して第３の香気Ｋ３を生成する混合量調整手段１７と、この混合量調整手段１７によって生成された第３の香気Ｋ３を送出するための送出部７と、を備えている。【選択図】図１
2013124929.tif 000002
【特許請求の範囲】
【請求項１】
無臭気体を導入するための少なくとも２つの導入部と、
前記少なくとも２つの導入部を構成する第１の導入部と流体連通して香料剤が配置されている香料室と、
前記少なくとも２つの導入部を構成する第２の導入部と流体連通して無臭気体を圧送するための圧送手段と、
前記第１の導入部および香料室に無臭気体を流過させることによって生成された第１の香気の流量を調整する流量調整手段と、
前記流量調整手段によって流量が調整された第２の香気と前記圧送手段によって圧送された無臭気体の混合量を調整して第３の香気を生成する混合量調整手段と、
前記混合量調整手段を介して生成された第３の香気を送出するための送出部と、を備えている発香装置。
【請求項２】
前記発香装置は、前記第３の香気に対し、前記第１の導入部を介して導入されて前記第１の導入部と前記香料室を連通する流路から分岐された無臭気体であって、前記第３の香気よりも相対的に大きな流量を有する無臭気体を導入するようになっている発香装置。
【請求項３】
前記発香装置は前記香料室を複数備えており、各香料室はそれぞれ固有の流量調整手段と流体連通しており、それぞれ固有の流量調整手段によって、各香料室に無臭気体を流過させることにより生成される香気の流量が別個に調整されるようになっている請求項１または２に記載の発香装置。
【請求項４】
前記発香装置は、前記第３の香気の前記送出部への流れを遮断する遮断手段を備えている請求項１〜３のいずれか一項に記載の発香装置。
【請求項５】
前記発香装置は、前記香料室内に配置された香料剤の温度を調整する温度調整手段を備えている請求項１〜４のいずれか一項に記載の発香装置。
【発明の詳細な説明】
【技術分野】
【０００１】
本発明は発香装置に関するものである。
【背景技術】
【０００２】
従来から、臭い（芳香）を用いて試料の成分を同定するシステムとして、スニッフィング（Sniff-GC（gas chromatography））システムが知られている。このSniff-GCシステムは、使用者が特定の試料の臭いを嗅ぐことによってその臭いを検出し、その検出された臭いから試料の成分を同定するシステムである。
【０００３】
このSniff-GCシステムでは、GCで分離した各成分をFID（Flame Ionization Detector：水素炎イオン化型検出器）やMS（Mass Spectrometry）等の検出器と臭い嗅ぎポートへ送出し、使用者が臭い嗅ぎポートで嗅ぐ成分と同じ成分をFIDやMS等の検出器で検出することにより、Sniff-GCシステムの同定精度を高めている。
【０００４】
ところで、このようなSniff-GCシステムで使用される発香装置は、所望の濃度の芳香（臭い）を含む気体（香気）を所望の時間幅で使用者に供給することが要求されており、このような従来の発香装置としては、例えば特許文献１〜３に開示されている発香装置を挙げることができる。
【０００５】
特許文献１に開示されている芳香供給装置は、香料吸収体に供給される香料剤と香料吸収体から芳香口へ至る流路の送気量をそれぞれ調整することのできる装置であり、香料剤供給部と芳香送出部を駆動すると、送気用ポンプによって香料吸収体へ送出された香料剤を周囲の空気と共に吸引し、香料剤と空気を混合した香気を送気用ポンプの吐出口から送出する装置である。
【０００６】
また、特許文献２に開示されている香料噴霧装置は、噴射口から香料を噴霧する二流体ノズルと、窒素ガスボンベから噴霧用の窒素を二流体ノズルへ供給する管路と、窒素ガスボンベの窒素ガスによって香料タンク内の香料を加圧して二流体ノズルへ供給する管路と、香料加圧用の圧力を設定するために窒素ガスボンベと香料タンクの間に設けられた圧力調整器と、を備える装置である。
【０００７】
また、特許文献３に開示されている発香装置は、コンプレッサーを作動するとこのコンプレッサーが香料室へ外気を送風し、香料から生じる香気をコンプレッサーの送風圧力により排気方向のみへ開弁する逆止弁を介して排気管へ排出する装置である。
【先行技術文献】
【特許文献】
【０００８】
【特許文献１】特開２００４−２７５７６３号公報
【特許文献２】特開平６−１７４２６４号公報
【特許文献３】特開平７−１４８２３７号公報
【発明の概要】
【発明が解決しようとする課題】
【０００９】
特許文献１に開示されている芳香供給装置によれば、香料吸収体に供給される香料剤と香料吸収体から芳香口へ至る流路の送気量をそれぞれ調整することができ、芳香の濃度や風量を簡単に調整することができる。また、複数の香料剤供給部を備え、これらの香料供給部を個別に制御することにより、複数の香料剤供給部から所望の香気を供給することができるとともに、複数の香料剤供給部から選択した２以上の所望の香気を所望の配合量で配合することができる。
【００１０】
また、特許文献２に開示されている香料噴霧装置によれば、噴霧用の窒素を窒素ガスボンベから二流体ノズルへ供給するようにし、香料を噴霧するための気体として香料タンク内の香料を加圧するための窒素ガスを利用することで、香料を噴霧するための圧縮空気を使用する必要がなく、当該香料噴霧装置からコンプレッサーを省略することができる。
【００１１】
また、特許文献３に開示されている発香装置によれば、コンプレッサーを作動した場合のみ香気を発生させることができ、コンプレッサーの作動回数や送風量等を調整することによって香気の強弱を容易に調整することができる。
【００１２】
しかしながら、特許文献１に開示されている芳香供給装置においては、送気用ポンプによって香料吸収体へ送出された香料剤を周囲の空気と共に吸引し、香料剤と空気を混合した香気を送気用ポンプの吐出口から送出しているため、送気用ポンプが香料剤によって汚染される可能性があり、香気の濃度を精緻に制御することが困難となるといった課題がある。また、無臭空気を送出することができないため、無臭空気と香気を連続的に送出するようなパルス状の香気を形成することができないといった課題がある。また、たとえばSniff-GCシステムなどにおいては、使用者等に対し一定流量の香気を供給することが望ましいものの、芳香の濃度や風量を調整した場合には送出される香気の流量が大きく変動してしまうといった課題もある。
【００１３】
また、特許文献２に開示されている香料噴霧装置においては、窒素ガスボンベと香料タンクの間にのみ香料加圧用の圧力を設定する圧力調整器が設けられており、噴射口から噴霧される香料の濃度を精緻に調整することが困難である。また、前記圧力調整器を用いて複数の香料タンク内の香料を一度に加圧するため、複数の香料タンク内の香料同士を任意の配合比で配合することができないといった課題もある。
【００１４】
さらに、特許文献３に開示されている発香装置においては、コンプレッサーと香料室が直接的に連通しているため、特許文献１に開示されている芳香供給装置と同様に、無臭空気を送出することができないといった課題や一定流量の香気を供給することができないといった課題がある。
【００１５】
本発明は上記する課題に鑑みてなされたものであり、無臭気体と香気を送出してパルス状の香気を発生することができるとともに、香気の濃度や発生時間幅を精緻に調整することのできる発香装置を提供することを第１の目的とする。また、無臭気体や芳香の濃度の異なる香気を略一定の流量で送出することのできる発香装置を提供することを第２の目的とする。
【課題を解決するための手段】
【００１６】
前記目的を達成すべく、本発明の発香装置は、無臭気体を導入するための少なくとも２つの導入部と、前記少なくとも２つの導入部を構成する第１の導入部と流体連通して香料剤が配置されている香料室と、前記少なくとも２つの導入部を構成する第２の導入部と流体連通して無臭気体を圧送するための圧送手段と、前記第１の導入部および香料室に無臭気体を流過させることによって生成された第１の香気の流量を調整する流量調整手段と、前記流量調整手段によって流量が調整された第２の香気と前記圧送手段によって圧送された無臭気体の混合量を調整して第３の香気を生成する混合量調整手段と、前記混合量調整手段を介して生成された第３の香気を送出するための送出部と、を備えているものである。
【００１７】
上記する形態によれば、流量調整手段によって流量が調整された香気と圧送手段によって圧送された無臭気体の混合量を調整して送出部から送出される香気を生成する混合量調整手段を備えることにより、無臭気体と香気の双方を送出部から送出することができる。また、第１の導入部および香料室に無臭気体を流過させることにより生成された第１の香気の流量を調整する流量調整手段と前記混合量調整手段を備えることで、第１の導入部および香料室を介して生成される第１の香気の流量を調整することができるとともに、流量調整手段によって流量が調整された第２の香気と圧送された無臭気体の混合量を調整して、送出部から送出される第３の香気の濃度を調整することができるため、送出部から送出される香気の濃度や送出される時間幅を精緻に調整することができ、送出部からパルス状の香気を精度良く送出することができる。また、香気と無臭空気は混合量調整手段を介して混合されることから、圧送手段が香気によって汚染されることがないといった利点もある。
【００１８】
ここで、本発明の発香装置で使用される無臭気体としては、例えば空気や窒素などを挙げることができる。
【００１９】
また、本発明の発香装置の一実施の形態では、前記発香装置は、前記第３の香気に対し、前記第１の導入部を介して導入されて前記第１の導入部と前記香料室を連通する流路から分岐された無臭気体であって、前記第３の香気よりも相対的に大きな流量を有する無臭気体を導入するようになっている。
【００２０】
たとえば送出部から送出される香気の濃度（強さ）を変更した場合、使用者が送出部で嗅ぐ香気の風圧や風量が変動する場合がある。そこで、上記する形態によれば、第３の香気に対し、該第３の香気よりも相対的に大きな流量の無臭気体を導入することにより、送出部から送出される香気の流量を略一定に維持することができ、使用者が送出部で嗅ぐ香気の風圧や風量の変動を抑制することができる。また、この無臭空気を第１の導入部を介するとともに第１の導入部と香料室を連通する流路から分岐して導入することにより、発香装置の構成を簡素化して製造コストの高騰を抑制することができる。なお、第３の香気の流量を検出する手段を別途設け、その検出手段の検出値に基づいて第３の香気に導入される無臭気体の流量を調整することによって、送出部から送出される香気の流量をより均一に維持することもできる。
【００２１】
また、本発明の発香装置の他の実施の形態では、前記発香装置は前記香料室を複数備えており、各香料室はそれぞれ固有の流量調整手段と流体連通しており、それぞれ固有の流量調整手段によって、各香料室に無臭気体を流過させることにより生成される香気の流量が別個に調整されるようになっている。
【００２２】
上記する形態によれば、発香装置が香料室を複数備えている場合であっても、各香料室に流体連通しているそれぞれ固有の流量調整手段によって、各香料室から生成される香気の流量をそれぞれ別個に調整することができ、各香料室から生成される香気同士を任意の配合比で配合して送出部から送出することができる。
【００２３】
また、本発明の発香装置の他の実施の形態では、前記発香装置は、前記第３の香気の前記送出部への流れを遮断する遮断手段を備えている。
【００２４】
上記する形態によれば、前記遮断手段を作動すると第２の香気と無臭気体を混合して生成された第３の香気が送出部へ流れなくなり、送出部からの香気の送出を確実に抑止することができる。これにより、たとえば送出部から純度の高い無臭気体のみを送出することができ、送出部でパルス状の香気を容易に形成することができる。
【００２５】
ここで、前記発香装置は、前記香料室内に配置された香料剤の温度を調整する温度調整手段を備えていることが好ましい。
【００２６】
香料室内に配置された香料剤は揮発性を有しており、香料室から排出される香気の流量は温度依存性を有していることから、香料室内に配置された香料剤の温度を調整することによって、香料室から排出される第１の香気の流量を精緻に調整することができる。
【発明の効果】
【００２７】
以上の説明から理解できるように、本発明の発香装置によれば、送出部から無臭気体と香気の双方を送出してパルス状の香気を発生することができるとともに、香気の濃度や発生時間幅を精緻に調整することができ、様々な濃度や時間幅の香気を高精度で発生し得る発香装置となる。また、無臭気体や様々な濃度の香気を発生する場合であっても、略一定流量の無臭気体や香気を送出部から発生し得る発香装置となる。また、香料室を複数備えている場合には、各香料室から排出される香気の流量を個別に制御することができ、様々な種類の香気を容易に発生し得る発香装置となる。
【図面の簡単な説明】
【００２８】
【図１】本発明の発香装置の実施の形態１を模式的に示したブロック図である。
【図２】本発明の発香装置の実施の形態２を模式的に示したブロック図である。
【図３】空気の流量と第１の香気の濃度の関係を模式的に示した図である。
【図４】本発明の発香装置の実施の形態３を模式的に示したブロック図である。
【図５】図４で示す発香装置を用いて発生させた送出部における香気の濃度の一例を示した図である。
【発明を実施するための形態】
【００２９】
以下、図面を参照して本発明の実施の形態１〜３を説明する。
【００３０】
［実施の形態１］
図１は、本発明の発香装置の実施の形態１を模式的に示したブロック図である。
【００３１】
この発香装置５０は、たとえば空気等の無臭気体Ａを導入するための２つの導入部１、２と、第１の導入部１と流体連通して香料剤Ｓ１が配置されている香料室１１と、第２の導入部２と流体連通して無臭気体Ａを圧送するための圧送手段２０と、使用者等に生成後の香気を送出するための送出部７と、を備えている。なお、香料剤Ｓ１は揮発性を有し、生成される香気の流量は温度依存性を有することから、香料室１１の周りには香料室１１内に配置された香料剤Ｓ１の温度を調整するためのアルミブロック等からなる温度調整手段４０が設けられており、香料室１１内の温度はたとえば20℃に調整されている。
【００３２】
ここで、第１の導入部１と香料室１１の間にはシリカゲル３と活性炭５が配置されており、第１の導入部１から導入された無臭気体Ａは、シリカゲル３と活性炭５を介して乾燥および精製されて香料室１１へ供給されるようになっている。また、活性炭５と香料室１１の間の流路Ｌ１は香料室１１の上流側で分岐しており、分岐後の流路Ｌ３は送出部７に繋がる流路に設けられた流量調整弁（流量調整手段）３１に接続されている。
【００３３】
また、第２の導入部２と圧送手段２０の間にもシリカゲル４と活性炭６が配置されており、第２の導入部２から導入された無臭気体Ａは、シリカゲル４と活性炭６を介して乾燥および精製され、圧送手段２０にて所定の流量（たとえば0.2L/min）に調整されて圧送されるようになっている。
【００３４】
また、発香装置５０は、香料室１１の下流側に、香料室１１に無臭気体Ａを流過させることによって生成された第１の香気Ｋ１の流量を調整する流量調整弁（流量調整手段）１５を備えるとともに、流量調整弁１５と圧送手段２０の双方の下流側に、流量調整弁１５によって流量が調整された第２の香気Ｋ２と圧送手段２０によって圧送された無臭気体Ａ（圧送気体）の混合量を調整する混合量調整弁（混合量調整手段）１７を備えている。
【００３５】
これにより、香料室１１へ供給された無臭気体Ａが香料室１１内に配置された香料剤Ｓ１の芳香を含有して香料室１１から排出された第１の香気Ｋ１は、流量調整弁１５によって流量が調整されて第２の香気Ｋ２となり（たとえば0.1〜5.0mL/min）、混合量調整弁１７によってその第２の香気Ｋ２と無臭気体Ａの混合量が調整されて第３の香気Ｋ３が生成される。
【００３６】
なお、流量調整弁１５にて不要となった第１の香気Ｋ１の一部は、活性炭４１およびポンプ４２を介して排出部８から排出されるようになっている。
【００３７】
上記するようにして生成された第３の香気Ｋ３は、香料室１１の上流側で流路Ｌ１から分岐した所定の流量（たとえば1.0L/min）の無臭気体Ａと流量調整弁３１を介して混合され、送出部７から第４の香気Ｋ４として送出される。その際、流量調整弁３１によって第３の香気Ｋ３と無臭気体Ａの混合量を調整することができるが、第３の香気Ｋ３に混合される無臭気体Ａの流量は、第２の香気Ｋ２と圧送手段２０から送出される無臭気体Ａから生成される第３の香気Ｋ３よりも相対的に大きな流量を有しており、第３の香気Ｋ３の流量がその濃度等によって多少変動したとしても、送出部７から送出される香気Ｋ４の流量は略一定に維持することができる。
【００３８】
このように、本実施の形態１の発香装置５０によれば、香料室１１に無臭気体Ａを流過させることによって生成される第１の香気Ｋ１の流量を調整する流量調整弁１５とその流量調整弁１５によって流量が調整された第２の香気Ｋ２と圧送手段２０によって圧送された無臭気体Ａの混合量を調整する混合量調整弁１７を備えることによって、無臭気体と香気の双方を送出部７から送出することができるとともに、送出部７から送出される香気の濃度や送出される時間幅を精緻に調整して送出部７からパルス状の香気を送出することができる。
【００３９】
また、発香装置５０は、第３の香気Ｋ３に対し、該第３の香気Ｋ３よりも相対的に大きな流量の無臭気体Ａを第１の導入部１と流量調整弁３１を介して導入するようになっているため、送出部７から使用者等へ向けて送出される香気の流量を略一定に維持することができる。
【００４０】
［実施の形態２］
図２は、本発明の発香装置の実施の形態１を模式的に示したブロック図である。本実施の形態２の発香装置５０Ａは、実施の形態１の発香装置５０に対して香気Ｋ１の流量調整手段等が相違しており、その他の構成はほぼ同様である。したがって、実施の形態１の発香装置５０と同様の構成については、同様の符号を付してその詳細な説明は省略する。
【００４１】
具体的には、この発香装置５０Ａでは、流路Ｌ１Ａの活性炭５Ａと香料室１１Ａの間に流量調整手段１３Ａが配設されており、第１の導入部１Ａから導入された無臭気体Ａは、シリカゲル３Ａと活性炭５Ａを介して乾燥および精製され、流量調整手段１３Ａを介して所定の流量（たとえば0.1〜5.0mL/min）に調整されて香料室１１Ａへ供給されるようになっている。
【００４２】
また、第１の導入部１Ａと流量調整手段１３Ａを連通する流路Ｌ１Ａから流量調整手段１３Ａの上流側で分岐した流路Ｌ３Ａには、流量調整弁３１Ａの上流側に流量調整手段３２Ａが配設されており、流路Ｌ１Ａから分岐した無臭気体Ａは、流量調整弁３１Ａに流入する前に流量調整手段３２Ａにて所定の流量（たとえば1.0L/min）に調整されるようになっている。これにより、流量調整弁３１Ａでは無臭気体Ａの流量調整が不要となり、たとえば三方コックなどを適用することもできる。
【００４３】
上記するように、所定の流量に調整されて香料室１１Ａへ供給され、香料室１１Ａ内に配置された香料剤Ｓ１の芳香を含有して香料室１１Ａから排出された第１の香気Ｋ１は、流量調整弁１５Ａによって流量が調整されて第２の香気Ｋ２となり、混合量調整弁１７Ａによって第２の香気Ｋ２と無臭気体Ａ（たとえば0.2l/min）の混合量が調整されて第３の香気Ｋ３が生成される。
【００４４】
なお、流量調整弁１５Ａに流入する第１の香気Ｋ１は、上記流量調整手段１３Ａによってその流量が調整されるようになるため、この流量調整弁１５Ａでは第１の香気Ｋ１を混合量調整弁１７Ａ側へ送出する、もしくは排出部８Ａ側へ送出するといった流量調整のみを行うこともできる。
【００４５】
図３は、無臭気体として空気を使用した場合の香料室１１Ａに供給される空気の流量と第１の香気Ｋ１の濃度の関係を模式的に示した図であり、香料室１１Ａに供給される空気の流量が増加するに従って、第１の香気Ｋ１の濃度が略線形的に増加している。したがって、流量調整手段１３Ａで香料室１１Ａへ供給される無臭気体Ａの流量を制御することにより、所望も濃度の第１の香気Ｋ１を香料室１１Ａで生成することができる。
【００４６】
上記するようにして生成された第３の香気Ｋ３は、流量調整弁３１Ａにて流量調整手段３２Ａを介して所定の流量に調整された無臭気体Ａと混合され、第４の香気Ｋ４として送出部７Ａから送出される。
【００４７】
ここで、この発香装置５０Ａでは、混合量調整弁１７Ａと流量調整弁３１Ａの間に第３の香気Ｋ３の送出部７Ａへの流れを遮断する遮断弁１９Ａが設けられており、この遮断弁１９Ａを閉弁することによって送出部７Ａから送出される第３の香気Ｋ３を確実に遮断することができる。これにより、送出部７Ａでパルス状の香気をより精緻に形成することができるとともに、送出部７Ａから純度の高い無臭気体Ａのみを送出することができる。なお、遮断弁１９Ａにて遮断された第３の香気Ｋ３は、活性炭４１Ａおよびポンプ４２Ａを介して排出部８Ａから排出されるようになっている。
【００４８】
なお、実施の形態２の発香装置５０Ａでは、香料室１１Ａから排出される第１の香気Ｋ１の流量を調整する手段は、香料室１１Ａの上流側に配置された流量調整手段１３Ａと香料室１１Ａの下流側に配置された流量調整弁１５Ａで構成されているが、いずれか一方のみを適用することもできる。たとえば、流量調整手段１３Ａのみを適用し、香料室１１Ａに供給される無臭気体Ａの流量を調整して生成される第１の香気Ｋ１の流量や濃度を制御することもできる。
【００４９】
また、混合量調整弁１７Ａの構成を簡素化するために、たとえば流量調整機能を省略した三方コック等を適用し、前記混合量調整弁１７Ａでは、流量調整弁１５Ａを介して供給される第２の香気Ｋ２と圧送手段２０Ａを介して供給される無臭気体Ａを流量調整せず混合し、送出部７Ａから香気を送出する必要がない場合には、遮断弁１９Ａにて第３の香気Ｋ３を遮断して排出してもよい。このような場合であっても、第１の導入部１Ａや流量調整手段３２Ａ等を介して所定の流量の無臭気体Ａが送出部７Ａへ供給されるため、使用者等は送出部７Ａから送出される気体の流量（強さ）の変動に基づいて香気の存在を判別することができなくなっている。
【００５０】
さらに、発香装置５０Ａが第３の香気Ｋ３の流量を検出する手段（不図示）を備えていれば、その検出手段の検出値に基づいて流量調整手段３２Ａを制御して第３の香気Ｋ３に導入される無臭気体Ａの流量を調整することができ、送出部７Ａから送出される第４の香気Ｋ４の流量をより均一に維持することもできる。
【００５１】
［実施の形態２］
図４は、本発明の発香装置の実施の形態３を模式的に示したブロック図である。本実施の形態３の発香装置５０Ｂは、実施の形態２の発香装置５０Ａに対して香料剤を配置した香料室を複数備えている点で相違しており、その他の構成はほぼ同様である。したがって、実施の形態２の発香装置５０Ａと同様の構成については、同様の符号を付してその詳細な説明は省略する。
【００５２】
図示するように、この発香装置５０Ｂは、異なる種類の香料剤Ｓ１、Ｓ２をそれぞれ配置した香料室１１Ｂ、１２Ｂを備えていて、香料室１１Ｂ、１２Ｂのそれぞれの上流側に流量調整手段１３Ｂ、１４Ｂが配設されており、香料室１１Ｂ、１２Ｂのそれぞれの下流側に流量調整弁１５Ｂ、１６Ｂが配設されている。また、流量調整弁１５Ｂと圧送手段２０Ｂの下流側には、流量調整弁１５Ｂによって流量が調整された第２の香気Ｋ２１と圧送手段２０Ｂによって圧送された無臭気体Ａ（圧送気体）の混合量を調整する混合量調整弁１７Ｂが配設されており、流量調整弁１６Ｂと混合量調整弁１７Ｂの下流側には、流量調整弁１６Ｂによって流量が調整された第２の香気Ｋ２２と混合量調整弁１７Ｂによって混合量が調整された香気Ｋ３１の混合量をさらに調整する混合量調整弁１８Ｂが配設されている。
【００５３】
上記するように、流量調整手段１３Ｂ、１４Ｂと流量調整弁１５Ｂ、１６Ｂと混合量調整弁１７Ｂ、１８Ｂが各香料室１１Ｂ、１２Ｂとそれぞれ流体連通しているため、たとえば流量調整手段１３Ｂ、１４Ｂや流量調整弁１５Ｂ、１６Ｂ、混合量調整弁１７Ｂ、１８Ｂを適宜閉弁等して制御することで、一方の香料室から排出される香気のみを送出部７Ｂから送出することができる。また、たとえば流量調整手段１３Ｂ、１４Ｂや流量調整弁１５Ｂ、１６Ｂ、混合量調整弁１７Ｂ、１８Ｂの開度を適宜調整することにより、各香料室１１Ｂ、１２Ｂから排出される香気を適宜の配合比で配合することができ、所望の芳香を有する香気を送出部７Ｂから送出することができる。
【００５４】
図５は、図４で示す発香装置５０Ｂを用いて発生させた香気の濃度の一例を示した図であり、上記するように流量調整手段１３Ｂ、１４Ｂや流量調整弁１５Ｂ、１６Ｂ、混合量調整弁１７Ｂ、１８Ｂ、遮断弁１９Ｂを適宜制御することにより、香気の濃度と発生時間幅を精緻に制御しながら、各香料室１１Ｂ、１２Ｂから排出される香気をより矩形波に近いパルス状にして送出部７Ｂから送出することができる。
【００５５】
なお、図示例では、２つの香料室１１Ｂ、１２Ｂを備えた発香装置５０Ｂについて説明したが、３つ以上の香料室を備える場合には、より多くの種類の芳香を生成することができる。
【００５６】
また、本実施の形態３の発香装置５０Ｂでは、香料室１１Ｂ、１２Ｂへ供給される無臭気体Ａを第１の導入部１Ｂを介して導入し、流路Ｌ１Ｂにて各香料室１１Ｂ、１２Ｂや流量調整手段３２Ｂへ分岐している。一方で、たとえば香料室の基数や容積が増加し、当該装置へ導入する無臭気体Ａの流量が不足する場合には、それぞれ別個の導入部を介して無臭気体Ａを各香料室等へ導入してもよい。
【００５７】
なお、上記する実施の形態１〜３の発香装置５０、５０Ａ、５０Ｂは、たとえば使用者が芳香から試料を特定するSniff-GCシステムなどの分析システムの発香装置のほか、車両や建造物等に適用してその室内に所望の芳香を送出する発香装置などとして用いることもできる。
【００５８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５９】
１、１Ａ、１Ｂ…第１の導入部、
２、２Ａ、２Ｂ…第２の導入部、
３、４、３Ａ、４Ａ、３Ｂ、４Ｂ…シリカゲル、
５、６、５Ａ、６Ａ、５Ｂ、６Ｂ…活性炭、
７、７Ａ、７Ｂ…送出部、
８、８Ａ、８Ｂ…排出部、
１１、１１Ａ、１１Ｂ、１２Ｂ…香料室、
１３Ａ、１３Ｂ、１４Ｂ…流量調整手段、
１５、１５Ａ、１５Ｂ、１６Ｂ…流量調整弁（流量調整手段）、
１７、１７Ａ、１７Ｂ、１８Ｂ…混合量調整弁（混合量調整手段）、
１９Ａ、１９Ｂ…遮断弁、
２０、２０Ａ、２０Ｂ…圧送手段、
３１、３１Ｂ、３１Ｂ…流量調整弁（流量調整手段）、
３２Ａ、３２Ｂ…流量調整手段、
４０、４０Ａ、４０Ｂ…温度調整手段、
４１、４１Ａ、４１Ｂ…活性炭、
４２、４２Ａ、４２Ｂ…ポンプ、
５０、５０Ａ、５０Ｂ…発香装置、
Ａ…無臭気体、
Ｋ１、Ｋ１１、Ｋ１２…第１の香気、
Ｋ２、Ｋ２１、Ｋ２２…第２の香気、
Ｋ３、Ｋ３１、Ｋ３２…第３の香気、
Ｋ４…第４の香気、
Ｌ１、Ｌ３、Ｌ１Ａ、Ｌ３Ａ、Ｌ１Ｂ…流路
Ｓ１、Ｓ２…香料剤
【図１】
2013124929.tif 000003
【図２】
2013124929.tif 000004
【図３】
2013124929.tif 000005
【図４】
2013124929.tif 000006
【図５】
2013124929.tif 000007